(57)【要約】【課題】締付トルク感応報知機構の機能を損なうことなしに、スパナやモンキーレンチ同様レンチ部を１８０°表裏反転使用して少スペースでの作業が可能となるトルクレンチを提供すること。【解決手段】ハンドル体１の先端部にボルトやナットなどの回転締付部材２に係合させるレンチ部３を設け、このレンチ部３が回転締付部材２を設定した所定のトルク値になるまで締付したことを報知する締付トルク感応報知機構５を備えたトルクレンチにおいて、前記レンチ部３は、このレンチ部３の前記ハンドル体１の長さ方向と略平行する対向レンチ面３Ａがハンドル体１の長さ方向に対して平行とならず傾斜するように構成し、このレンチ部３をハンドル体１に対して手動操作で１８０°表裏反転装着自在に着脱できる反転着脱機構４を備えたトルクレンチ。【選択図】        図１
2004358604.tif 000002
【特許請求の範囲】
【請求項１】
ハンドル体の先端部にボルトやナットなどの回転締付部材に係合させるレンチ部を設け、このレンチ部が回転締付部材を設定した所定のトルク値になるまで締付したことを報知する締付トルク感応報知機構を備えたトルクレンチにおいて、前記レンチ部は、このレンチ部の前記ハンドル体の長さ方向と略平行する対向レンチ面がハンドル体の長さ方向に対して平行とならず傾斜するように構成し、このレンチ部をハンドル体に対して手動操作で１８０°表裏反転装着自在に着脱できる反転着脱機構を備えたことを特徴とするトルクレンチ。
【請求項２】
前記レンチ部は、このレンチ部の前記回転締付部材への側方からの係合方向が前記ハンドル体の長さ方向に対して傾斜するように構成したことを特徴とする請求項１記載のトルクレンチ。
【請求項３】
前記反転着脱機構による前記レンチ部と前記ハンドル体との装着状態を解除操作する解除操作部を備え、この解除操作部の手動解除操作により工具などを使用することなくレンチ部をハンドル体より分離できるように構成したことを特徴とする請求項１，２のいずれか１項に記載のトルクレンチ。
【請求項４】
前記解除操作部は、押動操作することで前記反転着脱機構による装着状態を解除し得るように構成したことを特徴とする請求項３記載のトルクレンチ。
【発明の詳細な説明】
【０００１】
【発明の属する技術分野】
本発明は、トルクレンチに関するものである。
【０００２】
【従来の技術及び発明が解決しようとする課題】
一般に、スパナやモンキーレンチは、レンチ部がハンドル体に対して傾いた状態で設けられている。
【０００３】
具体的には、例えばスパナの場合、レンチ部のボルトやナットへの側方からの係合方向がハンドル体の長さ方向に対して１５°ほど傾斜した状態となるように構成され（図９参照）、これによって狭いスペースでの連続的な回転作業が行えるようになっている。
【０００４】
即ち、例えば六角形のボルトやナットには、所定の位置を基準に６０°の倍数位置でしかレンチ部を係止することができないため、少なくとも一回の回転操作では作業開始位置からハンドル体を６０°以上回転させなければならないが、レンチ部が１５°ほど傾けてあると、ハンドル体を３０°ほど回転させた後にレンチ部を１８０°表裏反転して再びボルトやナットに係止することで、ハンドル体が作業開始位置に位置して続けて回転操作を行うことが可能となる。
【０００５】
即ち、３０°ほどの作業スペースさえあれば、六角形のボルトやナットの連続回転操作が可能となるように構成されている。
【０００６】
一方、従来から、ボルトやナットなどを設定した所定のトルク値になるまで締付したことを報知する締付トルク感応報知機構５を備えたトルクレンチが実施されている。
【０００７】
具体的には、例えば図９に示すように、パイプ状のハンドル体１の先端部に、レンチ部３（図面ではスパナ形）を有するレンチアーム体１０を支軸６を介して回動可能に軸支し、このレンチアーム体１０のレンチ部３と反対側の端部にトグルリンク７の一端を連結し、このトグルリンク７の他端を、弾性体（圧縮バネ）９の復帰弾性を常に受けている摺動体８に連結した構造で、レンチ部３に係止した回転締付部材２を締付する方向にハンドル体１を回動した際にレンチ部３に所定のトルクがかかると、前記弾性体９の付勢力に抗してレンチアーム体１０が支軸６を支点に回動し、このレンチアーム体１０の基端寄りに形成した打撃部１０Ａがパイプ状のハンドル体１の内壁を打撃して報知音が出る構成である。
【０００８】
また、一般的にトルクレンチは、一方向への回転操作、即ちボルトやナットを締付する回転方向に対してのみ締付トルク感応報知機構５の効力を発揮できる構成となっている。
【０００９】
また、従来、このトルクレンチにおいても、前述のスパナやモンキーレンチのようにレンチ部３がハンドル体１に対して傾いている構造のものがある。
【００１０】
しかし、このレンチ部３が傾いた構成のトルクレンチでは、狭い作業スペースでの連続的な回転作業は可能であるものの、前記したように締付トルク感応報知機構５が一方向への回転操作でしか機能しないために、レンチ部３を１８０°表裏反転させて回転操作を行ってしまうと、ハンドル体１の回転方向が逆になって締付トルク感応報知機構５が機能しなくなってしまう。
【００１１】
従って、従来のトルクレンチでは、この締付トルク感応報知機構５を確実に機能させるためには、スパナやモンキーレンチのようにレンチ部を反転使用することができず、少なくとも六角形のボルトやナットを回転操作するためには、ハンドル体１を６０°回転させるだけの作業スペースが必要であり、この作業スペースより狭いところでの作業には実質的に使用できないという問題があった。
【００１２】
本発明は、このような現状に鑑み、締付トルク感応報知機構の機能を損なうことなしに、スパナやモンキーレンチ同様レンチ部を１８０°表裏反転使用して少スペースでの作業が可能となる画期的なトルクレンチを提供するものである。
【００１３】
【課題を解決するための手段】
添付図面を参照して本発明の要旨を説明する。
【００１４】
ハンドル体１の先端部にボルトやナットなどの回転締付部材２に係合させるレンチ部３を設け、このレンチ部３が回転締付部材２を設定した所定のトルク値になるまで締付したことを報知する締付トルク感応報知機構５を備えたトルクレンチにおいて、前記レンチ部３は、このレンチ部３の前記ハンドル体１の長さ方向と略平行する対向レンチ面３Ａがハンドル体１の長さ方向に対して平行とならず傾斜するように構成し、このレンチ部３をハンドル体１に対して手動操作で１８０°表裏反転装着自在に着脱できる反転着脱機構４を備えたことを特徴とするトルクレンチに係るものである。
【００１５】
また、前記レンチ部３は、このレンチ部３の前記回転締付部材２への側方からの係合方向が前記ハンドル体１の長さ方向に対して傾斜するように構成したことを特徴とする請求項１記載のトルクレンチに係るものである。
【００１６】
また、前記反転着脱機構４による前記レンチ部３と前記ハンドル体１との装着状態を解除操作する解除操作部１１を備え、この解除操作部１１の手動解除操作により工具などを使用することなくレンチ部３をハンドル体１より分離できるように構成したことを特徴とする請求項１，２のいずれか１項に記載のトルクレンチに係るものである。
【００１７】
また、前記解除操作部１１は、押動操作することで前記反転着脱機構４による装着状態を解除し得るように構成したことを特徴とする請求項３記載のトルクレンチに係るものである。
【００１８】
【発明の実施の形態】
好適と考える本発明の実施の形態（発明をどのように実施するか）を、図面に基づいてその作用効果を示して簡単に説明する。
【００１９】
レンチ部３は、ハンドル体１の長さ方向と略平行する対向レンチ面３Ａがハンドル体１の長さ方向に対して平行とならず傾斜するように構成しているため、例えば、このレンチ部３のハンドル体１の長さ方向に対する傾斜角度を従来のスパナやモンキーレンチと同じように設定すれば、このレンチ部３を１８０°表裏反転させて使用することで、狭い場所でもハンドル体１を連続的に回転操作することができる。
【００２０】
また、本発明では、ハンドル体１から反転着脱機構４を介し手動操作で簡単にレンチ部３を分離させることができ、この分離したレンチ部３を１８０°表裏反転して再びハンドル体１に装着することができる。即ち、例えば、ハンドル体１の長さ方向に対して対向レンチ面３Ａが＋１５°ほど傾くように構成している場合には、レンチ部３を１８０°表裏反転装着することによって、対向レンチ面３Ａがハンドル体１の長さ方向に対して−１５°ほど傾くように切り替わることになる。
【００２１】
従って、狭い場所での作業においてハンドル体１ごとレンチ部３を１８０°表裏反転させると、締付トルク感応報知機構５は一方向への回転に対してしか機能しないために、トルクレンチとしての機能が得られなくなってしまうが、本発明はハンドル体１を１８０°表裏反転させずとも、ハンドル体１に対しレンチ体３だけを１８０°表裏反転させることができるので、回転締付部材２を所定角度回してはレンチ部３を分離して反転装着することを繰り返すことで、確実に締付トルク感応報知機構５が機能する方向にハンドル体１を回転操作しながら、且つ狭い作業スペースでも作業を行うことができる極めて実用性に秀れたトルクレンチとなる。
【００２２】
また、例えば、前記レンチ部３は、このレンチ部３の前記回転締付部材２への側方からの係合方向が前記ハンドル体１の長さ方向に対して傾斜するように構成すれば、前記作用・効果を確実に発揮するスパナ形やモンキーレンチ形のレンチ部３を備えたトルクレンチを構成可能となる。
【００２３】
また、例えば、前記反転着脱機構４による前記レンチ部３と前記ハンドル体１との装着状態を解除操作する解除操作部１１を備え、この解除操作部１１の手動解除操作により工具などを使用することなくレンチ部３をハンドル体１より分離できるように構成すれば、簡単な手動操作により反転着脱機構４の解除操作を容易に行うことができ、一層実用的となる。
【００２４】
また、例えば、前記解除操作部１１は、押動操作することで前記反転着脱機構４による装着状態を解除し得るように構成すれば、単に解除操作部１１を押動操作するだけでレンチ部３をハンドル体１から分離することができるため、この分離操作を極めて容易に行うことができ、一層実用的となる。
【００２５】
【実施例】
本発明の具体的な実施例について図面に基づいて説明する。
【００２６】
本実施例のトルクレンチの詳細については、従来技術の項の説明と重複するため省略する。
【００２７】
また、ハンドル体１の側面部には、締付トルク感応報知機構５を作動させるためのハンドル体１の回動方向を示す矢印表示１６を刻設している。
【００２８】
本実施例のレンチ部３（スパナ形）は、このレンチ部３のハンドル体１の長さ方向と略平行する対向レンチ面３Ａがハンドル体１の長さ方向に対して平行とならず傾斜するように構成している。
【００２９】
具体的には、レンチ部３のナットを採用した回転締付部材２への側方からの係合方向、即ちボルトやナットなどの回転締付部材２のつら面方向からの係合方向がハンドル体１（レンチアーム体１０）の長さ方向に対して１５°ほど傾斜するように構成している（図９参照）。
【００３０】
言い換えると、レンチ部３のＣ状開口部がハンドル体１の長さ方向に対して片側の傾斜方向を向くように形成し、このレンチ部３とハンドル体１とが従来のスパナやモンキーレンチのレンチ部と同様に、へ字状に屈曲した関係となるように構成している。
【００３１】
また、本実施例は、このレンチ部３をハンドル体１に対して１８０°表裏反転装着自在に着脱できる反転着脱機構４を備えている。
【００３２】
具体的には、前記レンチ部３の基端部に第一連結部１２を設け、この第一連結部１２に着脱自在に連結する第二連結部１３を前記レンチアーム体１０の先端部に設けている。即ち、本実施例は、レンチアーム体１０を介してレンチ部３をハンドル体１の先端部に着脱できるように設けている。
【００３３】
第一連結部１２は、レンチ部３の基端部に円筒部を付設して構成し、この第一連結部１２の内径よりやや径小な円柱部をレンチアーム体１０の先端部に突設して、この円柱部を第一連結部１２に嵌合挿入する第二連結部１３としている（図１，図２参照）。
【００３４】
また、第二連結部１３の側面部に、図示省略の弾性体により突出付勢される係止凸部１４を没入可能に突設する一方、この係止凸部１４が係止する係止凹部１５を筒状の第一連結部１２の対向内面に一箇所ずつ設けている。
【００３５】
即ち、第一連結部１２に第二連結部１３を嵌挿すると、係止凸部１４は第一連結部１２の内面に押圧されて没入した状態となり、この係止凸部１４と係止凹部１５との位置が合致したところで係止凸部１４が係止凹部１５に突出係止して第一連結部１２（レンチ部３）と第二連結部１３（レンチアーム体１０）が抜け止め状態に連結し、且つ係止凸部１４を付勢力に抗し没入して係止凹部１５より係脱すると、第一連結部１２と第二連結部１３とが分離し得るように構成している。
【００３６】
また、本実施例では、レンチ部３がレンチアーム体１０に対して通常の装着状態（図３の状態）若しくは反転した装着状態（図４の状態）の時のみ係止凸部１４と係止凹部１５とが係止して抜け止め装着状態となるように構成している。
【００３７】
具体的には、第一連結部１２の底部に、レンチ部３の左右の対向レンチ面３Ａの対向方向に沿った長さを有する嵌合溝１２Ａを形成する一方、この嵌合溝１２Ａに嵌合する長円板形状の嵌合板部１３Ａを第二連結部１３の基部に形成し、第一連結部１２に第二連結部１３を嵌挿すると共に、嵌合溝１２Ａに嵌合板部１３Ａを嵌合することで、第一連結部１２が第二連結部１３に対して回転することなく（レンチ体３がハンドル体１の長さ方向を軸にして回転することなく）、位置決め状態となるように構成している。
【００３８】
更に、この嵌合溝１２Ａと嵌合板部１３Ａとは、レンチ部３がレンチアーム体１０に対して通常の装着状態若しくは反転した装着状態の時のみ嵌合するように構成すると共に、この際に係止凸部１４が係止凹部１５に係止してレンチ部３がレンチアーム体１０に連結装着するように、係止凸部１４の形成位置及び対向状態に設ける係止凹部１５の形成位置を設定構成している。
【００３９】
従って、嵌合溝１２Ａと嵌合板部１３Ａとが嵌合するように連結操作することで、自ずと係止凸部１４と係止凹部１５との位置が合わせられることになるため、レンチ部３をレンチアーム体１０に連結装着する操作が容易に行われる構成としている。
【００４０】
また、本実施例では、前記レンチ部３と、前記レンチアーム体１０との連結装着状態を解除するための前記反転着脱機構４の解除操作部１１を備え、この解除操作部１１の手動解除操作により工具などを使用することなくレンチ部３をレンチアーム体１０より分離できるように構成している。
【００４１】
具体的には、図２に示すように、前記係止凹部１５は、筒状の前記第一連結部１２を内外方向に貫通した貫通孔１５とし、この貫通孔１５と位置が重複する第一連結部１２の外周面全周に取付溝１２Ｂを形成している。
【００４２】
また、この取付溝１２Ｂに、バネ性を有する金属製の帯板を略Ｃ状に折曲形成して成る被嵌体１７を被嵌装着し、この被嵌体１７のバネ性によりこの被嵌体１７を外側に開くように力を加えない限り、この取付溝１２Ｂへの被嵌装着状態が維持される構成としている。
【００４３】
また、更にこの被嵌体１７の前記各貫通孔１５に対応する位置から、貫通孔１５内に向けて押圧片１７Ａを切り出し折曲し、この各押圧片１７Ａが各貫通孔１５内に存することで、取付溝１２Ｂに対し被嵌体１７が略回り止め状態となる構成としている。
【００４４】
また、この被嵌体１７は、内面が取付溝１２Ｂの外周面に密着当接することなく、やや隙間を介した状態で被嵌装着される形状に形成し、これにより押圧片１７Ａが切り出された被嵌体１７の対向部位を第一連結部１２の内方へ向けて押圧することができるように構成すると共に、この押圧片１７Ａの存する被嵌体１７の対向部位の外面を前記解除操作部１１としている。
【００４５】
即ち、この解除操作部１１を指で内方へ押圧操作すると、押圧片１７Ａが貫通孔１５の深い内方位置にまで達することになり、図２（ａ）の矢印のように、前記係止凸部１４が係止している貫通孔１５に対応する側の解除操作部１１を押圧すると、図２（ｂ）のように、この押圧片１７Ａが係止凸部１４を押圧して内方へ没入させ、これにより係止凸部１４が貫通孔１５から係脱して第一連結部１２（レンチ体３）と第二連結部１３（レンチアーム体１０）とを引き抜き分離できる構成としている。
【００４６】
また、押圧片１７Ａは、解除操作部１１を内方へ押圧操作した際に、貫通孔１５に係止している係止凸部１４を貫通孔１５から確実に係脱させることができるように前記被嵌体１７からの切り出し長を設定している。
【００４７】
従って、工具などを使用することなく、単に解除操作部１１を指で押圧操作するだけでレンチ部３と、レンチアーム体１０（ハンドル体１）との連結装着状態を解除して引き抜き分離できる操作性に秀れた構成としている。
【００４８】
また、この解除操作部１１によって簡単に分離操作できる反転着脱機構４の構成は、簡易に設計実現可能な構成であり、量産性に秀れ安価に構成可能である。
【００４９】
次に、本実施例の狭い作業スペースでの使用方法を説明する。
【００５０】
先ず、例えば、レンチ部３は、図３に示した装着状態（ハンドル体１の長さ方向に対してレンチ部３が＋１５°傾いた状態）とする。
【００５１】
このレンチ部３を回転締付部材２（図面ではナット）に係合し（図５参照）、前記矢印１６方向にハンドル体１を回転操作して回転締付部材２を３０°ほど回転させる（図６参照）。
【００５２】
次いで、一旦レンチ部３を回転締付部材２より係脱し、反転着脱機構４によりレンチ部３だけをハンドル体１（レンチアーム体１０）から分離して１８０°表裏反転装着する（ハンドル体１の長さ方向に対してレンチ部３が−１５°傾いた状態になる。）。そして、再びレンチ部３を回転締付部材２に係合して（図７参照）、矢印１６方向にハンドル体１を回転操作し回転締付部材２を３０°ほど回転させる（図８参照）。
【００５３】
以下、同様にして、ハンドル体１を３０°ほど回してからレンチ部３を１８０°表裏反転装着する作業を連続的に繰り返すことで、回転締付部材２を締付でき、この際、図５〜図８に示したように、ハンドル体１は常に一方向（前記締付トルク感応報知機構５が機能する方向）に回転させることができるから、回転締付部材２が予め設定したトルクまで締付られると（レンチ部３に所定のトルクがかかると）、前記締付トルク感応報知機構５が作動し、報知音がすることになる。
【００５４】
従って、本実施例では、ハンドル体１に対して傾斜したレンチ部３だけを１８０°表裏反転装着することができ、これにより狭い作業スペースでも、確実にトルクレンチの機能（締付トルク感応報知機構５）を損なうことなく作業を行うことができる従来にないトルクレンチを実現できた。
【００５５】
尚、本発明は、本実施例に限られるものではなく、各構成要件の具体的構成は適宜設計し得るものである。
【００５６】
【発明の効果】
本発明は上述のように構成したから、ハンドル体に対しレンチ部を手動操作で容易に着脱でき、これによりハンドル体を１８０°表裏反転させずとも、ハンドル体に対しレンチ体だけを分離して１８０°表裏反転装着することができるので、回転締付部材を所定角度回してはレンチ部を分離して反転装着することを繰り返すことで、確実に締付トルク感応報知機構が機能する方向にハンドル体を回転操作しながら、且つ狭い作業スペースでも作業を行うことができることとなるなど、従来にない極めて実用性に秀れた画期的なトルクレンチとなる。
【００５７】
また、請求項２記載の発明においては、前記作用・効果を確実に発揮するスパナ形やモンキーレンチ形のレンチ部を備えたトルクレンチを構成可能となる秀れた構成のトルクレンチとなる。
【００５８】
また、請求項３記載の発明においては、簡単な手動操作により反転着脱機構の解除操作を容易に行うことができる一層実用性に秀れた構成のトルクレンチとなる。
【００５９】
また、請求項４記載の発明においては、単に解除操作部を押動操作するだけでレンチ部をハンドル体から分離することができるため、この分離操作を極めて容易に行うことができる一層実用性に秀れた構成のトルクレンチとなる。
【図面の簡単な説明】
【図１】本実施例のレンチ部をハンドル体より分離させた状態を示す斜視図である。
【図２】本実施例の反転着脱機構並びにその作動を示す部分説明図である。
【図３】本実施例のレンチ部をハンドル体に装着した状態を示す斜視図である。
【図４】図３の状態から、レンチ部を１８０°表裏反転装着した状態を示す斜視図である。
【図５】図３の状態において、回転締付部材にレンチ部を係合した状態を示す説明図である。
【図６】図５の状態から、ハンドル体を３０°回転させた状態を示す説明図である。
【図７】図６の状態から、レンチ部を１８０°表裏反転装着して回転締付部材に係合した状態を示す説明図である。
【図８】図７の状態から、ハンドル体を３０°回転させた状態を示す説明図である。
【図９】本実施例の締付トルク感応報知機構を示す部分説明図である。
【符号の説明】
１  ハンドル体
２  回転締付部材
３  レンチ部
３Ａ  対向レンチ面
４  反転着脱機構
５  締付トルク感応報知機構
１１  解除操作部
【図１】
2004358604.tif 000003
【図２】
2004358604.tif 000004
【図３】
2004358604.tif 000005
【図４】
2004358604.tif 000006
【図５】
2004358604.tif 000007
【図６】
2004358604.tif 000008
【図７】
2004358604.tif 000009
【図８】
2004358604.tif 000010
【図９】
2004358604.tif 000011